(57)【要約】【課題】  身近なカレンダーを対象にして関連付けることで祝日などにおいて簡便に旗類を掲揚できて玄関先に本旗を掲げる行為の代わりともし得るようにしたカレンダー用簡易旗類掲出具を提供すること。【解決手段】  対象とするカレンダーの紙面や綴じ具などの構成材あるいはカレンダーの側脇壁面などの取付対象壁面に関連付けて装着可能なセット具を主たる部材として有し国民の祝日で代表される特定の日に対応して前記セット具を介して掲出可能なミニチュア型簡易旗類を組み合わせて構成されている。【選択図】図１
0003179681.tif 000002
【実用新案登録請求の範囲】
【請求項１】
対象とするカレンダーの紙面や綴じ具などの構成材あるいはカレンダーの側脇壁面などの取付対象壁面に関連付けて装着可能なセット具を主たる部材として有し国民の祝日で代表される特定の日に対応して前記セット具を介して掲出可能なミニチュア型簡易旗類を組み合わせて構成されているカレンダー用簡易旗類掲揚具。
【考案の詳細な説明】
【技術分野】
【０００１】  本考案は、カレンダー用簡易旗類掲出具に関する。
【背景技術】
【０００２】  カレンダーには、その上欄に風景や教訓などが表示され下欄には１ヶ月あるいは通年の暦表が表示されたものや１枚の紙面全体に暦表が表示され１ヶ月毎にめくるか破り去って新規なものにしてゆくようにしたものなど各種のものがある。
【先行技術文献】
【特許文献】
【０００３】
【特許文献１】
【考案の概要】
【考案が解決しようとする課題】
【０００４】  近年、国民の祝日における国旗掲揚の意思のある国民は非常に少なくなってきた一方において、国民に対する国旗掲揚推進への啓蒙も進んでいるのが現状である。しかし、こうした推進、啓蒙にも拘らず現実には国旗掲揚する者は依然として少なく、その有効な対策が望まれているところである。【０００５】  本考案は、こうした問題を解決しようとするものであり、身近なカレンダーを対象にして関連付けることで祝日などにおいて簡便に旗類を掲揚できて玄関先に本旗を掲げる行為の代わりともし得るようにしたカレンダー用簡易旗類掲出具を提供することを目的とする。
【課題を解決するための手段】
【０００６】  本考案は上記目的を達成するため、請求項１に記載の考案は、対象とするカレンダーの紙面や綴じ具などの構成材あるいはカレンダーの側脇壁面などの取付対象壁面に関連付けて装着可能なセット具を主たる部材として有し国民の祝日で代表される特定の日に対応して前記セット具を介して掲出可能なミニチュア型簡易旗類を組み合わせて構成されている。
【考案の効果】
【０００７】  上述したように請求項１に記載の考案は、対象とするカレンダーの紙面や綴じ具などの構成材あるいはカレンダーの側脇壁面などの取付対象壁面に関連付けて装着可能なセット具を主たる部材として有し国民の祝日で代表される特定の日に対応して前記セット具を介して掲出可能なミニチュア型簡易旗類を組み合わせて構成されているので、身近なカレンダーを対象にして関連付けることで祝日などの特定日に対応して簡便にミニチュア型簡易旗類を掲出できて玄関先に本旗を掲げる行為の代わりとなる意思表示ともし得るようにしたカレンダー用簡易旗類掲出具を提供することができる。
【図面の簡単な説明】
【０００８】
【図１】  本考案の一実施形態を示す正面図。
【図２】  図１の要部拡大図。
【図３】  図２の矢印Ａ方向からの矢視図。
【図４】  図３のＢ−Ｂ線断面図。
【図５】  他の実施形態を示す正面図。
【図６】  他の実施形態を示す正面図。
【図７】  他の実施形態を示す正面図。
【図８】  他の実施形態を示す正面図。
【図９】  図８に関連する実施形態を示す正面図。
【考案を実施するための形態】
【０００９】  以下、本考案であるカレンダー用簡易旗類掲出具の一実施形態を図１ないし４に基づいて説明する。
これらの図において、１は取付対象壁面で、同壁面１の適所にはフック２が取り付けられ、同フック２を介して中央の掛孔３を掛け留めることによりカレンダー５が吊り掛けられている。このカレンダー５は、１２ヶ月分でなる各月の本シート６…と表・裏１枚ずつのシート（図示省略）とを備え、これらのシートの端辺には、フック２に掛け留められる掛孔３を備えているとともに、前後のシートは重ねられて。綴じ具７で捲り揚げられるようにつながれている。例えば、図示した９月分のシート６の使用済みとなれば、捲り上げられて同シート６の掛孔３をフック２に掛け留めるようにされる。綴じ具７は、針金芯に保護膜を施したスパイラルリングでなり、図１の右欄に示すようなダブルリングとすることもある。開閉リングとすることもある。
【００１０】  ８はミニチュア型簡易旗類である日の丸国旗セット（ミニフラッグ）であり、１５〜２０ｃｍ程度の旗竿８ａと標章シート８ｂおよび国旗球８ｃを一体セットものとしたものである。９は収納ケースで、下辺の受け部と前後の薄い板面とを有する上方開放型をしたケースであって、例えば、９月であれば１７日（敬老の日：９月の第３月曜日）と２２日（秋分の日）が祝日であるがそれ以外の通常日において前記国旗セット８を目立つことなく収納しておくためのものである。
【００１１】  国民の祝日（９月１７日、２２日）になると、この収納ケース９から国旗セット８を取り出して旗竿８ａをセット具１１の受け部１４内に差し込むことによりセットしてカレンダー５の前面に斜めに臨んだ掲出状態とする。セット具１１は樹脂一体成形品で、台座１２と前後一対のクリップ具１３，１３および旗竿８ａを差し込むための受け部１４とでなる。クリップ具１３，１３は、一対の樹脂製バネ板状のもので、その一方（あるいは双方）の内側面には突起１３ａが設けられており、これらクリップ具１３，１３を、図３および図４に示すように、綴じ具７であるスパイラルリングの裏側部分に差し入れて挟み付けるようにすることによりセット具１１を綴じ具７であるカレンダー５側に取り付けるものである。セット具１１のクリップ具１３，１３は、綴じ具７の壁面１側となる部分に止め付けられてその他の前回りの部分は構成シート６の孔が自由に移動できるようになっているので、次の月（１０月）になって前月（９月）の構成シート６を捲り上げるのが支障なく行える。受け部１４は、くの字に曲がっているので、その中に旗棒８ａを差し込むことで、図２に示すように、標章シート８ｂである国旗がカレンダー５の前面に斜め姿勢にくるようにされる。しかし、受け部１４は垂直な筒体でもよく、また筒体以外に上下に複数段のリングを備えたタイプにしてもよい。１０月になると、下側の構成シート６を捲ってフック２に掛けるようにするが、その際は、国旗セット８は収納ケース９の中に収納されているので捲るのに邪魔になることはない。
【００１２】  尚、国旗セット８の旗竿８ａは、セット具１１の筒状受け部１４内に収納状態とし受け部１４に形成したスリット１５から標章シート８ｂを取り出して掲出状態とすることもでき、この場合、国旗セット８を矢印のように回せば標章シート８ｂを受け部１４内に収納させることができ、別途収納ケースなどを設ける必要がなくなる。前記受け部１４は一定の力で曲がり得るゴム質のものにすることができる。
【００１３】  図６は他の実施形態を示す。同実施形態は、図１と同様のカレンダー５を対象としてマグネット式のセット具１７により国旗セット８を掲出できるようにしたものである。
セット具１７は、スチール製裏盤１８とマグネット１９付きの樹脂製表盤２０とで構成し、表盤２０の表側に旗竿８ａを差し入れる筒状の受け部２１を形成したものである。
セット具１７は、裏盤１８を構成シート６の裏面にまた表盤２０を構成シート６の表側にもってくれば構成シート６のいずれの個所にも取り付けることができ、また、マグネット式であるので、月が替わった場合にも取り外しと再装着が簡単にできる。
【００１４】  尚、図６の左下欄に示すように、表装シート（構成シート）２３に粘着可能な薄板状の基盤２４に薄板状の回転盤２５を取り付けて回転盤２５の受け部２６に国旗セット８をセット可能にしてもよい。国旗セット８は、回転盤２５を回転させることで祝日にはカレンダー５外側に張り出すことができる一方、例えば、１月分の構成シート６を表装シート２３側に捲り揚げたあとに、国旗セット８を時計回りに回転させて構成シート６の裏側に隠した状態とすれば祝日以外の平日向けの収納状態とすることができる。
【００１５】  また、図６の右側部に示すように、表装シート２３の裏面に粘着可能な粘着シート２７と同シート２７に備えた底付きで垂直筒状の受け部２８とでなるセット具２９をカレンダー５の側辺に装着して旗竿８ａを受け部２８に差し込んで国旗セット８をセットするようにしてもよい。この場合、旗竿８ａを往復的に回転させることにより、標章シート８ｂをカレンダー５の表側にもってきたりあるいはカレンダー５の裏側に標章シート８ｂをもってくるのが簡単に行え、これにより、祝日には前面にきた掲出状態をまた通常日には背面にきた収納状態に簡単にすることができるようになる。粘着シート２７は、クリップ式にしてクリップ本体に孔明けや筒体突設により受け部を設けることで、同様のセット具を構成してもよい。以上図１ないし図７に示すものは捲り上げ方式のカレンダー５について説明したが、不要になった月の構成シート６については破り捨てるような方式にしてもよく、また図８にも示すように１年分を１枚の構成シートにしたタイプについても図１ないし図７に示す実施形態のものを適用することができる。
【００１６】  図７は他の実施形態を示す。同実施形態は、吸着受盤３０と吸盤３１とを有し、壁面１のカレンダー５の側脇に対応する個所に、裏面を粘着式とした吸着受盤３０を貼り付け、この受盤３０に脱着自在に吸着する吸盤３１を取り付けるようにするとともに、この吸盤３１に一体に設けた受け部３２に国旗セット８の旗竿８ａを差し込むことにより国旗の標章シート８ｂを掲出可能にしたものである。受け部３２は、吸盤３１に対して回転可能にしておけば標章シート８ｂのカレンダー５に対する位置関係を変えることができる。
尚、カレンダー５の上部あるいは側辺部には、水平筒状体などの収納手段３３を備えておき、祝日が終わった時点でこの収納手段３３に旗竿８ａを差し込むことで国旗セット８を待機状態にするように構成することもできる。収納手段３３を充分長くしておいて国旗セット８を丸めて収納するように構成することもできる。
【００１７】  図８および図９は付加的な提案例を示す。同例は、例えば、上部に教訓とか風景写真とかを表した上部３５とし下部３６を１年分の暦を表し上端に留め具３７と掛け片３８を付して１枚ものに形成したカレンダー３９を対象としたもので、このカレンダー３９には、図９に示すように、国旗表示専用シート４０を上端留め付けにより備え付けてあり、図９の場合は祝日のとき、図８はその他の通常日のときを例示してある。即ち、祝日のときは、国旗表示専用シート４０を上部３５の表面にくるようにしてその裏面に描かれた国旗４０ａがカレンダー３９の上部に展開して表れるようにし、通常日には、図８に示すように、専用シート４０をカレンダー３９の裏側に転回して仕舞いカレンダー３９に上部３５が表れるようにすることができる。専用シート４０の上辺には、掛け片３８に干渉しないようにする切欠４０ｂを設けておくものとする。
【００１８】  尚、図９の右欄に示すように、専用シート４０は紙面の半幅状のものにしてもよく、この場合、転回がしやすくなる。
また、前記図８および図９の実施形態では、１年分の暦が一体に記された１枚もののカレンダー３９とされていたが、図１ないし図７に示すような１ヶ月あるいは６ヶ月単位を１枚としたものの複数枚綴りのものにしてもよい。
さらに、専用シート４０には透明な汚れ防止フィルム（図示省略）を重ねて備えてもよい。
【符号の説明】
【００１９】  １…取付対象壁面  ５…カレンダー  ６…構成シート  ７…綴じ具  ８…国旗セット  １１…セット具。
【図１】
0003179681.tif 000003
【図２】
0003179681.tif 000004
【図３】
0003179681.tif 000005
【図４】
0003179681.tif 000006
【図５】
0003179681.tif 000007
【図６】
0003179681.tif 000008
【図７】
0003179681.tif 000009
【図８】
0003179681.tif 000010
【図９】
0003179681.tif 000011